(57)【要約】【課題】  樹脂製筐体のねじり剛性を高めることによって、筐体のねじれ変形を起こりにくくする。【解決手段】  筐体１は樹脂製ボトムパネル２と樹脂製トップケース３とをビス止めすることにより形成されている。筐体１の左右方向寸法Ｗが前後方向寸法Ｄよりも長くなっていて、ボトムパネルの底板２１から立ち上げられた支柱４の先端４１がトップケースの天板３１に対峙している。トップケースの天板３１に位置決め手段５としての嵌合部５１を設け、その嵌合部５１を支柱４の先端４１に嵌合する。支柱４を長円形断面に形成して、支柱４の前後方向での曲げ強度を高めておいてもよい。【選択図】        図１
2005252017.tif 000002
【特許請求の範囲】
【請求項１】
樹脂製ボトムパネルと樹脂製トップケースとをビス止めすることにより形成されていると共に、当該筐体の左右方向寸法が前後方向寸法よりも長くなっており、ボトムパネルの底板から一体に立ち上げられた支柱の先端がトップケースの天板に対峙していて、厚さ方向に加わった荷重が上記支柱を介してボトムパネルの底板又はトップケースの天板によって受け止められるようになっている偏平箱形の電気電子機器の樹脂製筐体において、
上記支柱が、ボトムパネルの底板の前後方向及び左右方向に振り分けられた複数箇所のそれぞれから一体に立ち上がり状に突出され、それらの支柱はその前後幅寸法が左右幅寸法よりも長く定められて前後方向の曲げ強度が左右方向の曲げ強度よりも高められていると共に、トップケースの天板に、それぞれの支柱の先端に嵌合してそれらの支柱の先端をトップケースの天板に対して前後方向及び左右方向の定位置に位置決めする嵌合部が一体に成形されていることを特徴とする電気電子機器の樹脂製筐体。
【請求項２】
樹脂製ボトムパネルと樹脂製トップケースとをビス止めすることにより形成され、ボトムパネルの底板とトップケースの天板とのうちの一方側部材から一体に突出された支柱の先端が他方側部材に対峙していて、厚さ方向に加わった荷重が上記支柱を介して一方側部材又は他方側部材によって受け止められるようになっている偏平箱形の電気電子機器の樹脂製筐体において、
他方側部材に、上記支柱の先端をその他方側部材に対して少なくとも前後方向の定位置に位置決めする位置決め手段が一体に備わっていることを特徴とする電気電子機器の樹脂製筐体。
【請求項３】
ボトムパネルの底板から一体に支柱が立ち上がり状に突出していて、上記位置決め手段が、トップケースの天板に一体に成形されている請求項２に記載した電気電子機器の樹脂製筐体。
【請求項４】
上記位置決め手段が、上記支柱の先端に嵌合してその支柱の先端を位置決めする嵌合部を備えている請求項２又は請求項３に記載した電気電子機器の樹脂製筐体。
【請求項５】
ボトムパネルの底板の前後方向及び左右方向に振り分けられた複数箇所のそれぞれから一体に支柱が立ち上がり状に突出している請求項２ないし請求項４のいずれか１項に記載した電気電子機器の樹脂製筐体。
【請求項６】
当該筐体の左右方向寸法が前後方向寸法よりも長くなっていて、上記支柱は、その前後幅寸法が左右幅寸法よりも長く定められて前後方向の曲げ強度が左右方向の曲げ強度よりも高められている請求項５に記載した電気電子機器の樹脂製筐体。
【発明の詳細な説明】
【技術分野】
【０００１】
本発明は、電気電子機器の樹脂製筐体、特に、当該筐体全体のねじれ変形を防ぐ対策が講じられている電気電子機器の樹脂製筐体に関する。
【背景技術】
【０００２】
図４は電気電子機器の一例であるＤＶＤの筐体１の外観形状を概略で示した斜視図である。この筐体１は、樹脂製ボトムパネル２と樹脂製トップケース３とを、それらの後端部の複数箇所でビス止めすることにより形成されている。図中、１１はビス止め箇所を示している。この筐体１は、左右方向寸法Ｗが前後方向寸法Ｄよりも長くなっていて平面視矩形である。また、厚さ寸法Ｔが左右方向寸法Ｗや前後方向寸法Ｄに比べて極端に短くなっていて、全体的には偏平箱形に形成されている。１２は表示窓、１３はトレイ出入口、１４はキー群である。
【０００３】
このような偏平箱形の樹脂製筐体１では、その内部に駆動機構や各種電気電子部品などが収容される。しかも、ボトムパネル２やトップケース３の肉厚は可及的薄く設計されて、筐体１全体の薄形化が指向されている。そのため、電気電子機器を持ち運んだりその筐体１の上にテレビジョン受像機などの機器をセットしたり、あるいは、自動車のシート上などのように設置面が平坦でない場所に置いたりしたときには、筐体１が歪んで変形するおそれがある。
【０００４】
そこで、従来は、図５に示した要部の正面図、図６に示した要部の平面図などによって示されているように、ボトムパネル２の底板２１から一体に立ち上げられた支柱４の先端をトップケース３の天板３１に対峙させることによって、たとえば筐体１の上にテレビジョン受像機などの機器を置いたときに厚さ方向に加わる荷重を、支柱４を介してボトムパネル２の底板２１によって受け止めさせるようにしている。また、厚さ方向に加わる上記荷重を、底板２１の広い範囲に分散させるために、上記支柱４を底板２１の前後方向及び左右方向に振り分けた複数箇所、たとえば図示のように４箇所の格子点のそれぞれから立上り状に突出させている。なお、一般的には、厚さ方向に加わる荷重は、複数箇所の支柱４で支えるようになっているほか、筐体１に収容されている機構部品の構体１０などによっても支えられるようになっている。
【０００５】
他の従来例として、車載用電子機器の保持構造があり（特許文献１参照）、このものは、カセットテープデッキやＣＤプレーヤなどの機器本体が載置される複数本の支柱を、ベース板とそのベース板に積層した補強板とに加締め結合したものである。さらに他の従来例として、音響信号を再生する装置の筐体があり（特許文献２参照）、このものは、金属製の底板と天板とを鋳鉄製の連結部材で結合すると共に、底板を２枚重ね構造としてディスク記録再生装置の筐体の剛性を高めたものである。さらに他の従来例として、電子機器用筐体があり（特許文献３参照）、このものは、ラジオ受信機筐体の底体にその長手方向に並べて配列した複数本の支柱の上端を、蓋体の上面板にビス止めしておき、それらの支柱を受信機シャーシの位置決め手段として用いるようにしたものである。
【特許文献１】特開２０００−７７８５４号公報
【特許文献２】特開２０００−１１４７３１公報
【特許文献３】実公昭５１−２６００２号公報
【発明の開示】
【発明が解決しようとする課題】
【０００６】
しかしながら、図５又は図６で説明した構造を備える従来の筐体１では、それが薄肉の樹脂成形体であるために、持ち運び時や設置面が平坦でない場所に置いたりしたときにねじれ変形を起こしやすく、特に長手方向である左右方向に沿う軸線Ｌ周りでのねじれ変形を起こしやすいことが知見された。
【０００７】
そこで、鋭意調査を行った結果、従来の筐体１では、複数箇所の支柱４が下向き又は上向きの荷重を支えることには顕著に役立っているけれども、それらの支柱４の先端４１とトップケース３の天板３１とが前後及び左右の各方向に摺動自在に当接しているだけであるので、支柱４が筐体１のねじり剛性を高めることにそれほど役立っておらず、そのために、筐体１がねじれ変形を起こしやすくなっていることを見いだした。
【０００８】
一方、上掲の特許文献２に記載されているものは、底板と天板とがいずれも金属製であり、しかも、それらとは別部材である鋳鉄製の連結部材で底板と天板とを結合しているので、この技術を薄形化や軽量化が要求されるＤＶＤなどの電気電子機器の筐体１に採用することは現実的でない。また、特許文献３に記載されているものは、ラジオ受信機筐体の底体にその長手方向に並べて複数本の支柱が配列しているので、それらの支柱がねじれ剛性を高めることに役立っているとは云えない。
【０００９】
本発明は以上の状況の下でなされたものであり、図５又は図６で説明した支柱を活用することによって、偏平箱形をなす薄肉の樹脂製の筐体のねじれ剛性を高めることを目的とする。
【課題を解決するための手段】
【００１０】
本発明に係る電気電子機器の樹脂製筐体は、樹脂製ボトムパネルと樹脂製トップケースとをビス止めすることにより形成され、ボトムパネルの底板とトップケースの天板とのうちの一方側部材から一体に突出された支柱の先端が他方側部材に対峙していて、厚さ方向に加わった荷重が上記支柱を介して一方側部材又は他方側部材によって受け止められるようになっている。そして、他方側部材に、上記支柱の先端をその他方側部材に対して少なくとも前後方向の定位置に位置決めする位置決め手段が一体に備わっている。
【００１１】
この構成であれば、底板又は天板のうちの一方側部材から突出された支柱の先端が、位置決め手段によって他方側部材の少なくとも前後方向の定位置に位置決めされるので、左右方向に沿う軸線周りでのねじり荷重が筐体に加えられても、支柱の先端が他方側部材に対して変位することがない。そのため、筐体のねじり剛性が構造的に高められることになり、筐体がねじれ変形を起こしにくくなる。なお、上記位置決め手段は、支柱の先端を他方側部材に対して左右方向の定位置に位置決めする機能を発揮するものであってもよく、そのような位置決め手段を採用すると、その位置決め手段によって支柱の先端が他方側部材の前後方向及び左右方向の定位置に位置決めされるので、左右方向に沿う軸線周りでのねじり荷重や前後方向に沿う軸線周りでの荷重が筐体に加えられても、支柱の先端が他方側部材に対して変位することがなくなり、筐体が前後方向にも左右方向にもねじれ変形を起こしにくくなる。
【００１２】
本発明では、ボトムパネルの底板から一体に支柱が立ち上がり状に突出していて、上記位置決め手段が、トップケースの天板に一体に成形されているものであってもよい。
【００１３】
また、上記位置決め手段が、上記支柱の先端に嵌合してその支柱の先端を位置決めする嵌合部を備えている、という構成を採用することができる。これによれば、嵌合部を他方側部材（たとえば天板）に一体成形することができるので、部品点数を増やすことなく筐体のねじれ変形を防ぐことが可能になる。
【００１４】
本発明では、ボトムパネルの底板の前後方向及び左右方向に振り分けられた複数箇所のそれぞれから一体に支柱が立ち上がり状に突出していることが望ましい。これによれば、構造的にねじれ変形を防ぐ作用が顕著に発揮される。
【００１５】
本発明では、当該筐体の左右方向寸法が前後方向寸法よりも長くなっていて、上記支柱は、その前後幅寸法が左右幅寸法よりも長く定められて前後方向の曲げ強度が左右方向の曲げ強度よりも高められていることが望ましい。これによれば、支柱が前後方向に曲がりにくいので、筐体の長手方向である左右方向に沿う軸線周りでのねじれ変形が、上記嵌合部の作用によってだけでなく、支柱自体の前後方向に曲がりにくいという特性によっても防止されるようになる。
【００１６】
本発明に係る電気電子機器の樹脂製筐体は、樹脂製ボトムパネルと樹脂製トップケースとをビス止めすることにより形成されていると共に、当該筐体の左右方向寸法が前後方向寸法よりも長くなっており、ボトムパネルの底板から一体に立ち上げられた支柱の先端がトップケースの天板に対峙していて、厚さ方向に加わった荷重が上記支柱を介してボトムパネルの底板又はトップケースの天板によって受け止められるようになっている偏平箱形の電気電子機器の樹脂製筐体において、上記支柱が、ボトムパネルの底板の前後方向及び左右方向に振り分けられた複数箇所のそれぞれから一体に立ち上がり状に突出され、それらの支柱はその前後幅寸法が左右幅寸法よりも長く定められて前後方向の曲げ強度が左右方向の曲げ強度よりも高められていると共に、トップケースの天板に、それぞれの支柱の先端に嵌合してそれらの支柱の先端をトップケースの天板に対して前後方向及び左右方向の定位置に位置決めする嵌合部が一体に成形されている、という構成を採用することによっていっそう具体化される。この発明の作用は後述する実施形態を参照して詳細に説明する。
【発明の効果】
【００１７】
以上のように本発明は、図５又は図６で説明した支柱を活用することによって構造的に筐体のねじれ変形を防止するものであり、支柱の先端を位置決めするための位置決め手段を筐体の底板又は天板に一体成形することができるので、重量や筐体の肉厚を増やすことなく、また、部品点数を増やすことなくねじれ変形が防止されるという利点がある。そして、筐体のねじれ変形か防止されることにより、筐体のねじれ変形に伴う配線基板の変形によって断線などのトラブルが起こりにくくなるという効果が得られる。
【００１８】
特に、支柱の前後幅寸法と左右幅寸法とを異ならせて筐体長手方向での支柱の曲げ強度を高めたものでは、位置決め手段による位置決め作用と支柱自体の強度特性とによって筐体のねじれ変形を防止する作用が顕著に発揮されるという卓越した効果が奏される。
【発明を実施するための最良の形態】
【００１９】
図１は本発明に係る電気電子機器の樹脂製筐体の要部の正面図、図２は同要部の平面図、図３（Ａ）〜（Ｄ）は種々形状の嵌合部による位置決め状態を示した説明図である。
【００２０】
この実施形態の筐体（たとえばＤＶＤの筐体）１の形状は図４で説明したものと同様である。すなわち、樹脂製ボトムパネル２と樹脂製トップケース３とを、それらの後端部の複数箇所でビス止めすることにより形成されている。また、この筐体１は、左右方向寸法Ｗが前後方向寸法Ｄよりも長くなっていて平面視矩形であり、厚さ寸法Ｔが左右方向寸法Ｗや前後方向寸法Ｄに比べて極端に短くなっている。そして、全体的には偏平箱形に形成されていて、その前面パネルに表示窓１２、トレイ出入口１３、キー群１４などが備わっている。
【００２１】
また、図１又は図２のように、ボトムパネル２の底板２１から一体に立ち上げられた支柱４の先端をトップケース３の天板３１に対峙、好ましくは重なり状に当接させることによって、筐体１の厚さ方向に加わる荷重を、支柱４を介してボトムパネル２の底板２１によって受け止めさせるようにしている。また、厚さ方向に加わる上記荷重を、底板２１の広い範囲に分散させるために、支柱４を底板２１の前後方向及び左右方向に振り分けた複数箇所、たとえば図２のように４箇所の格子点のそれぞれから立上り状に突出させている。なお、厚さ方向に加わる荷重は、複数箇所の支柱４で支えるようになっているほか、筐体１に収容されている機構部品の構体１０などによっても支えられるようになっている。
【００２２】
この実施形態では、それぞれの支柱４の先端をトップケース３の天板３１に対して前後方向及び左右方向の定位置に位置決めする位置決め手段５が一体に備わっている。図３にこの位置決め手段５の種々の形態を例示してある。
【００２３】
図３（Ａ）の位置決め手段５は、上記天板３１に具備された円形凹入状の嵌合部５１でなり、この嵌合部５１に支柱４の先端４１を内嵌合してある。これによれば、嵌合部５１によって支柱の先端４１と天板３１との相対的な摺動が前後方向及び左右方向で阻止されるため、支柱４の先端４１が天板３１に対して前後方向及び左右方向の定位置に位置決めされる。そのため、筐体１（図４参照）の左右方向に沿う軸線周りでのねじれ変形や前後方向に沿う軸線周りでのねじれ変形が構造的に防止される。
【００２４】
図３（Ｂ）の位置決め手段５は、上記天板３１に一体成形した円形の突出部として一体成形された嵌合部５１でなり、この嵌合部５１に支柱４の先端４１を外嵌合してある。これによっても、図３（Ａ）の場合と同様に筐体１（図４参照）の左右方向に沿う軸線周りでのねじれ変形や前後方向に沿う軸線周りでのねじれ変形が構造的に防止される。
【００２５】
図３（Ｃ）の位置決め手段５は、上記天板３１に相対向する一対の円弧部として形成された嵌合部５１でなり、この嵌合部５１に支柱４の先端が内嵌合されている。これによっても、図３（Ａ）の場合と同様に筐体１（図４参照）の左右方向に沿う軸線周りでのねじれ変形や前後方向に沿う軸線周りでのねじれ変形が構造的に防止される。
【００２６】
図３（Ｄ）の位置決め手段５は、図３（Ａ）のものと同様に上記天板３１に具備された円形凹入状の嵌合部５１でなり、その嵌合部５１に支柱４の先端４１が内嵌合されている。そして、この事例では、支柱４が断面長円形に形成されていて、その前後幅寸法ａが左右幅寸法ｂよりも長く定められている。そのため、支柱４自体の前後方向の曲げ強度が左右方向の曲げ強度よりも高められている。この構成であると、支柱４自体が前後方向に曲りにくいので、先端４１が天板３１に対して前後方向及び左右方向で位置決めされている当該支柱４の前後方向の曲り変形によって筐体１がねじれ変形するという自体が阻止される。したがって、筐体１のねじれ変形が嵌合部５１の作用によってだけでなく、支柱４自体の前後方向に曲がりにくいという特性によっても防止されるようになる。
【００２７】
嵌合部５１の形状ないし構造は、図示例以外にも種々考えられるものである。要するに、嵌合部５１は、支柱４の先端４１をその天板３１に対して少なくとも前後方向の定位置に位置決めし得るものであればよい。
【００２８】
以上説明した実施形態では、ボトムパネル２の底板２１から支柱４が突出されているけれども、この点は、トップケース３の天板３１から支柱が突出されていて、その支柱の先端をボトムパネル２の底板２１に対して位置決めする位置決め手段５をその底板２１に一体成形しておいてもよい。
【図面の簡単な説明】
【００２９】
【図１】本発明に係る電気電子機器の樹脂製筐体の要部の正面図である。
【図２】同要部の平面図である。
【図３】（Ａ）は嵌合部の形状などを説明するための部分断面図、（Ｂ）は嵌合部の他の形状などを説明するための部分断面図、（Ｃ）は嵌合部のさらに他の形状などを説明するための部分断面図、（Ｄ）は支柱の形状及び嵌合部のさらに他の形状などを説明するための部分断面図である。
【図４】電気電子機器の筐体の外観形状を示した斜視図である。
【図５】従来の電気電子機器の樹脂製筐体の要部の正面図である。
【図６】従来の電気電子機器の樹脂製筐体の要部の平面図である。
【符号の説明】
【００３０】
１  筐体
２  ボトムパネル
３  トップケース
４  支柱
２１  底板
３１  トップケースの天板
４１  支柱の先端
５１  嵌合部
ａ  支柱の前後幅寸法
ｂ  支柱の左右幅寸法
Ｗ  筐体の左右方向寸法
Ｄ  筐体の前後方向寸法
【図１】
2005252017.tif 000003
【図２】
2005252017.tif 000004
【図３】
2005252017.tif 000005
【図４】
2005252017.tif 000006
【図５】
2005252017.tif 000007
【図６】
2005252017.tif 000008